(57)【要約】【課題】汚染空気の処理を効率よく続けられる気液接触手段を利用した空気清浄機を提供する。【解決手段】空気と処理液とを接触させることにより、汚染物質をその処理液で処理して減少させる気液接触手段と、気液接触手段の処理液を変化させるとともに、所定のｐＨの範囲に維持するｐＨ制御手段とを有することを特徴とする空気清浄機である。処理液を特定のガスに最も適した酸又はアルカリ側の所望のｐＨ値に設定して、その特定ガスを処理し、またその適したｐＨ値を維持する処理液ｐＨ値制御方法により、特定のガスを効率的に除去し続けることができる。【選択図】        図１
2005013788.tif 000002
【特許請求の範囲】
【請求項１】
空気と処理液とを接触させることにより、前記空気中の汚染物質をその処理液で処理して減少させる気液接触手段と、
前記気液接触手段の前記処理液のｐＨを変化させるとともに、そのｐＨを所定の範囲に維持するｐＨ制御手段と
を有することを特徴とする空気清浄機。
【請求項２】
空気と処理液とを接触させることにより、前記空気中の汚染物質をその処理液で処理して減少させる気液接触手段と、
前記空気を取り込み前記気液接触手段へ導入する送気手段および吸気手段の少なくとも一つと、
前記気液接触手段の前記処理液のｐＨを変化させるｐＨ制御手段と、
前記気液接触手段の前記処理液のｐＨを計測するｐＨ計測手段とを含み、
前記ｐＨ制御手段は、前記ｐＨ計測手段からの信号により、前記気液接触手段の前記処理液のｐＨを所定の範囲に維持することを特徴とする空気清浄機。
【請求項３】
前記ｐＨ制御手段は、異なるｐＨの溶液を有する複数の供給手段を含む請求項１または２に記載の空気清浄機。
【請求項４】
前記ｐＨ制御手段は、水を電気分解することにより酸性水とアルカリ性水とを生成する電解槽と、
前記電解槽で生成された前記酸性水又は／及び前記アルカリ性水を前記気液接触手段へ供給する供給手段と
を含む請求項１または２に記載の空気清浄機。
【請求項５】
前記ｐＨ制御手段は、酸性水を貯蔵する酸性水貯蔵部と、
アルカリ性水を貯蔵するアルカリ性水貯蔵部と、
前記酸性水貯蔵部の酸性水又は／及び前記アルカリ性水貯蔵部のアルカリ性水を前記気液接触手段へ供給する供給手段と
を含む請求項１または２に記載の空気清浄機。
【請求項６】
前記ｐＨ制御手段は、中性水を貯蔵する中性水貯蔵部を含む請求項５に記載の空気清浄機。
【請求項７】
前記気液接触手段は、送気手段により前記空気清浄機内へ導入された空気を前記処理液内に散気し、前記処理液と前記空気とを接触させ、前記空気中の汚染物質を処理するものである請求項１ないし６のいずれか１項に記載の空気清浄機。
【請求項８】
前記気液接触手段は、流動する前記処理液と、送気手段または吸気手段により前記空気清浄機内へ導入された空気とを、前記空気が流動する前記処理液を通過することにより接触させ、前記空気中の汚染物質を処理するものである請求項１ないし６のいずれか１項に記載の空気清浄機。
【請求項９】
前記気液接触手段は、含浸部材内を流動する処理液と、送気手段または吸気手段により前記空気清浄機内へ導入された空気とを、前記空気が前記含浸部材を通過することにより接触させ、前記空気中の汚染物質を処理するものである請求項１ないし６のいずれか１項に記載の空気清浄機。
【請求項１０】
空気と処理液とを接触させることにより、前記空気中の汚染物質をその処理液で処理して減少させる気液接触による空気清浄機において、前記処理液のｐＨを特定の値へ変化させた後、所定時間そのｐＨ値を維持することを特徴とする処理液ｐＨ値制御方法。
【発明の詳細な説明】
【０００１】
【発明が属する技術分野】
本発明は、空気中に含まれるガスや塵埃などを除去するため、液体を使用する空気清浄機および処理液ｐＨ値制御方法に関する。
【０００２】
【従来の技術】
空気中の複数種類のガスや煙、塵、埃などを除去するための空気清浄機において、内部に処理液を有するタイプのものがある。このタイプにおいては、空気を取り込み内部の処理液と気液接触を利用して処理する。この処理方法では、汚染物質を含む空気と処理液としての水とが接触することにより、空気内の汚染物質が水に溶解して除去される。
【０００３】
【発明が解決しようとする課題】
しかし空気を空気清浄機内に取り込み、空気と処理液との接触により、可溶性ガスや粒子などを除去する処理を続けると、処理液が汚染され、除去効率が悪くなるという欠点がある。そこで特開平１０−３０９４３２号においては、吸収液のｐＨ値を所定の範囲内にすることでガスの溶解性の劣化を防止する可溶性ガス除去装置を開示している。しかし、処理液として中性（ｐＨ７）の水を用いてｐＨ７からのずれを補正する場合、いろいろなガスを広く浅く除去できるものの特定のガスを効率よく除去することはできなかった。
【０００４】
そこで本発明は、除去したい特定のガスを効率よく除去し、稼働し続けても除去効率が低下せず、汚染物質の処理ができる空気清浄機を提供する。
【０００５】
【課題を解決するための手段及び発明の効果】
上記課題を解決するため、本発明の空気清浄機は、空気と処理液とを接触させることにより、空気中の汚染物質をその処理液で処理して減少させる気液接触手段と、気液接触手段の処理液のｐＨを変化させるとともに、そのｐＨを所定の範囲に維持するｐＨ制御手段とを有することを特徴とする。特定のガスに最も適した酸又はアルカリ側の所望のｐＨ値の処理液を用い、そのｐＨ値を維持することにより、特定のガスを効率的に除去し続ける。
【０００６】
ｐＨ制御手段によって、空気中の汚染物質を処理するために適したｐＨへ処理液のｐＨを変えることができる。また空気清浄機を稼動することにより、処理液のｐＨが初期の値からずれた場合、ｐＨ制御手段によって、汚染物質を処理するため適したｐＨへ戻すことができる。つまりｐＨ制御手段によって、効率のよい処理が行えるように、処理液のｐＨを一定の範囲内に維持することができる。このようにして、処理に適するｐＨに設定された処理液と汚染空気とを気液接触手段によって接触させ、汚染物質を処理して減少させることができる。
【０００７】
本発明の空気清浄機は、空気と処理液とを接触させることにより、空気中の汚染物質をその処理液で処理して減少させる気液接触手段と、空気を取り込み気液接触手段へ導入する送気手段および吸気手段の少なくとも一つと、気液接触手段の処理液のｐＨを変化させるｐＨ制御手段と、気液接触手段の処理液のｐＨを計測するｐＨ計測手段とを含み、ｐＨ制御手段は、ｐＨ計測手段からの信号により、気液接触手段の処理液のｐＨを所定の範囲に維持することを特徴とする。
【０００８】
送気手段または吸気手段により、空気を空気清浄機内に取り込むことができる。吸入された空気は、気液接触手段へ送られ、ここで特定のガスを除去するのに適した酸性又はアルカリ性の処理液に触れることにより、空気中のガス、煙、粒子などが除去される。本発明の空気清浄機の運転による水の汚染はｐＨ計測手段により計測し、適正値からある設定値を超えたところで、汚染された処理水を適正値まで戻すために、ｐＨ制御手段が作動する。ｐＨ制御手段によって、気液接触手段の処理液のｐＨを所望の値に維持することができる。
【０００９】
ｐＨ計測手段の測定の結果、処理溶液を酸性にする必要があれば、酸性溶液を水槽内に導入する。またはアルカリ性にする必要があれば、アルカリ性溶液を水槽内に導入する。処理液のｐＨの計測によって、処理液の汚染具合を判断し、ｐＨ制御手段によって処理液を最適な状況へ戻すことができる。
【００１０】
ｐＨ制御手段は、異なるｐＨの溶液を有する複数の供給手段を含むものである。この複数の供給手段を備えることにより異なるｐＨの溶液を気液接触手段へ導入することができる。
【００１１】
さらにｐＨ制御手段として、溶液を気液接触手段へ供給し、および気液接触手段の処理液を排水する制御装置も備えることができる。気液接触手段への異なるｐＨの溶液の供給割合を制御装置によって変化させることにより、気液接触手段の処理液のｐＨを所望のものへ変化させることができる。このような制御装置により、不用になった処理液を排水することができる。
【００１２】
ｐＨ制御手段は、水を電気分解することにより酸性水とアルカリ性水とを生成する電解槽と、電解槽で生成された酸性水又は／及びアルカリ性水を気液接触手段へ供給する供給手段とを含むものである。
【００１３】
水の電気分解で生成した酸性水、アルカリ性水のどちらかまたは双方を空気清浄機内の水槽に送り込むことによって、水槽内の処理液のｐＨを変化させることができる。これにより処理液のｐＨを処理に適した所望のｐＨとし、さらに空気清浄機を稼動することによる所望のｐＨ値からのずれを修正することができる。
【００１４】
ｐＨ制御手段は、酸性水を貯蔵する酸性水貯蔵部と、アルカリ性水を貯蔵するアルカリ性水貯蔵部と、酸性水貯蔵部の酸性水又は／及びアルカリ性水貯蔵部のアルカリ性水を気液接触手段へ供給する供給手段を含むものである。
【００１５】
酸性水貯蔵部とアルカリ性水貯蔵部とを設けることにより、酸性水貯蔵部から酸性水を、またはアルカリ性水貯蔵部からアルカリ性水を、水槽内へ導入することができる。もしくは、酸性水とアルカリ性水の供給割合を調整することにより、処理液のｐＨを所望のｐＨとすることができる。
【００１６】
ｐＨ制御手段は、さらに中性水を貯蔵する中性水貯蔵部を含むものとすることもできる。酸性水貯蔵部、アルカリ性水貯蔵部に加え、さらに中性水貯蔵部を設置することにより、容易に所望のｐＨへ処理液を変えることができる。
【００１７】
気液接触手段は、送気手段により空気清浄機内へ導入された空気を処理液内に散気し、処理液と空気とを接触させ、空気中の汚染物質を処理するものである。送気手段によって空気清浄機内に導入された空気は、処理液内に散気され、処理液と接触することにより、ガス、塵埃などの汚染物質が、空気中から処理できる。
【００１８】
気液接触手段は、流動する処理液と、送気手段または吸気手段により空気清浄機内へ導入された空気とを、空気が流動する処理液を通過することにより接触させ、空気中の汚染物質を処理するものである。流動する処理液を吸入された空気が通過することにより、処理液と空気とを接触させることができる。これにより、吸入空気中の汚染物質を処理液で処理することができる。
【００１９】
気液接触手段は、含浸部材内を流動する処理液と、送気手段または吸気手段により空気清浄機内へ導入された空気とを、空気が含浸部材を通過することにより接触させ、空気中の汚染物質を処理するものである。含浸部材内において処理液を流動させ、含浸部材を吸入空気が通過することにより、処理液と吸入空気が接触し、ここで汚染物質を除去することができる。
【００２０】
本発明は、空気と処理液とを接触させることにより、空気中の汚染物質をその処理液で処理して減少させる気液接触による空気清浄機において、処理液のｐＨを特定の値へ変化させた後、所定時間そのｐＨ値を維持することを特徴とする処理液ｐＨ値制御方法である。汚染空気を処理するために適したｐＨ値へ変化させるとともに、そのｐＨ値から一定の範囲ずれた場合、それを修正し、所望のｐＨ値を維持する。処理に適したｐＨが維持されることにより、効率よく対象ガスを除去することができる。
【００２１】
【発明の実施の形態及び発明の効果】
以下、本発明の実施の形態を図面に示す実施例を参照しつつ説明する。図１に、散気式空気清浄機１の概念図を示す。空気清浄機１の内部には、水槽６があり、水槽６には空気に含まれる汚染物質を除去するために、処理液７を入れる。送気手段としてファン３が設置されており、ファン３が送気管４によって散気部（曝気部）としてのエアプレート５と接続されている。散気部は、空気を放出し気泡を発生するためのものである。エアプレート５は、多数の孔が空いており、ファン３から送られた空気２は、エアプレート５の孔から処理液７内に放出される。水槽６内には、処理液７のｐＨを計測するためのｐＨ計測手段であるｐＨ計測部２５が備えられている。
【００２２】
空気清浄機１には、水槽６の外部に処理液７のｐＨを変化させるための電解槽１５が備えられ、電解槽１５と水槽６との間には、制御装置１１が備えられている。電解槽１５と制御装置１１は、酸性水導入管１６とアルカリ性水導入管１７で接続されており、これらの導入管を通って、酸性水やアルカリ性水が制御装置１１へ運ばれる。また制御装置１１と水槽６とは、処理液導入管１２と処理液排出管１３で接続されており、処理液導入管１２を通って、酸性水やアルカリ性水が制御装置１１から水槽６へ運ばれ、処理液排出管１３を通って、処理液７が水槽６から制御装置１１へと運ばれる。その処理液７は、制御装置１１の排水口１４から排水される。
【００２３】
電解槽１５は、内部に水を貯蔵し、この水を電気分解する。電解槽１５内には、２つの電極１８，１９が設置してあり、この電極１８，１９に通電することにより、水の電気分解を行う。水の電気分解を行うことにより、酸性水、アルカリ性水が生成される。電解槽１５の酸性水生成側２０とアルカリ性水生成側２１とにそれぞれ酸性水導入管１６、アルカリ性水導入管１７がつながっており、これらの導入管は、制御装置１１とつながっている。制御装置１１は、酸性水導入管１６かアルカリ性水導入管１７の一方または双方から、水槽６側へ溶液を導入することができる。この酸性水、アルカリ性水のどちらかを制御装置１１にて水槽６に送り込むことによって、処理液７のｐＨを変化させることができる。また制御装置１１には、処理液７を排水するための排水口１４が設置されており、不必要な汚染された処理液７は、制御装置１１により、空気清浄機１外へ排水口１４から排水される。
【００２４】
空気清浄機１には、送気部としてファン３が取り付けられており、ファン３により、汚染された空気２が、空気清浄機１内へ取り込まれる。ファン３によって吸い込まれた空気２は、送気管４を通り、水槽６の処理液７中にある散気部としてのエアプレート５から水槽６内の処理液７内に排出される。エアプレート５から排出された空気２は、気泡となり処理液７内を通過する間に、汚染物質が除去され、水槽６の上部へと上昇していく。この後空気排出口９より、清浄化された空気８は、排出される。
【００２５】
ｐＨ計測部２５で、処理液７のｐＨを計測する。これにより空気清浄機１を稼働することにより、処理液７が汚染され、ｐＨが変化することがわかる。空気中の汚染物質を処理するため、処理液と汚染物質とが反応しやすいｐＨがあり、このｐＨ値を維持するようにすれば、効率のよい汚染物質の処理を続けられる。
【００２６】
ｐＨ計測部２５による処理液７のｐＨの測定値を制御装置１１へ送ることによって、制御装置１１は、ｐＨが設定値より酸性側へずれた場合、電解槽１５のアルカリ性水を、アルカリ性側へずれた場合、電解槽１５の酸性水を水槽６内へ導入する。このとき必要に応じて、制御装置１１により、処理液排出管１３、排水口１４を経て、処理液７を排出する。この働きにより、水槽６内の処理液７のｐＨを一定の範囲に保って、処理液７による汚染物質の除去効率を最適な状態に維持することができる。
【００２７】
以上の散気式（曝気式）空気清浄機において、散気部は、空気を排出できる形態であればよく、必ずしもエアプレートでなくてもよい。空気を排出できるものであれば、例えば球状や円筒状の形状とすることもできる。また多数の孔のある形態に限られない。また散気部を備えずに、送気管の先端から直接処理液中に空気を排出する形態としてもよい。
【００２８】
図２にｐＨの時間変化に対するｐＨ調整の様子を示す。図の横軸が時間、縦軸がｐＨである。この図は、初めに水槽内の処理液のｐＨを９にした例である。空気清浄機を稼働することにより、処理液が汚染されてｐＨが変化し、設定値を超えたところで、制御装置の働きにより、処理液のｐＨを処理に適した値へ戻すことを示している。
【００２９】
例えば、酢酸ガスを処理するには、処理液のｐＨを９．０付近にすると効率よく溶解する。空気清浄機を稼働して時間が経過すると、徐々にｐＨが変化していき、酢酸ガスの除去効率が悪くなる。そこで、水槽内にｐＨ計測部を設置し、これにより処理液のｐＨを計測する。ｐＨ計測部からの信号が、ある設定値を超えると、処理効率が悪くなったと制御装置は判断し、水槽内の処理液を必要により排水した後、アルカリ性水を水槽に導入することにより、ｐＨを酢酸ガスの処理に適したｐＨ９．０付近に戻す。ｐＨ計測部と制御装置の作用により、効率よく汚染物質を処理することができる。
【００３０】
図３に散気式による空気清浄機３０の他の実施例を示す。ｐＨ制御手段として、電解槽の代わりに、貯蔵部を設置した例である。本実施例の空気清浄機３０は、水槽６へ制御装置１１を介して、酸性水貯蔵部３１、アルカリ水貯蔵部３２、および中性水貯蔵部３３が接続されている。中性水貯蔵部３３は、省略することもできる。酸性水貯蔵部３１には酸性水を、アルカリ性水貯蔵部３２にはアルカリ性水を、中性水貯蔵部３３には中性水を予め貯蔵しておく。酸性水貯蔵部３１は、酸性水導入管３４により、アルカリ性水貯蔵部３２は、アルカリ性水導入管３５により、中性水貯蔵部３３は、中性水導入管３６により制御装置１１と接続されている。制御装置１１は、処理液導入管１２と処理液排出管１３により水槽６と接続されている。送気手段であるファン３によって空気清浄機３０内へ空気が送られ、散気部（曝気部）としてのエアプレート５から処理液７内に排出され、汚染空気２と処理液７とが気液接触する。
【００３１】
水槽６内には、同様にｐＨ計測部２５があり、処理液７のｐＨを計測し、制御装置１１へ信号を送る。ｐＨ計測部２５からの信号を受けて、制御装置１１は、水槽６内の処理液７が設定値よりアルカリ性に傾けば、酸性水貯蔵部３１より、酸性水を水槽６に導入する。また水槽６内の処理液７が設定値より酸性に傾けば、アルカリ性水貯蔵部３２よりアルカリ性水を水槽６に導入する。あるいはｐＨ調整の必要に応じて、中性水を導入する。さらに制御装置１１は、排水口１４を備えており、汚染されて不要になった処理液７を水槽６より排出することができる。
【００３２】
図４は、噴霧・水膜式の空気清浄機に電解槽を設置した例を示す。この空気清浄機４０の内部には、水槽４１と放水部４４とを含み、水槽４１と放水部４４との間には、循環ポンプ４２が設置され、水槽４１と循環ポンプ４２と放水部４４とは、循環パイプ４３によって結ばれている。この循環ポンプ４２によって水槽４１内の処理液４５は、空気清浄機４０の内部の上部の放水部４４まで汲み上げられ、放水部４４より水槽４１内へ放水される。放水部４４から水槽４１へ放水された処理液４５は、再び循環ポンプ４２によって、放水部４４へと循環する。吸気手段として空気排出口９側にファン３が備えられており、ファン３によって、空気導入口２６より空気２が導入される。なおファン３は、送気手段とし、空気導入口２６へ備え付けてもよい。また送気手段と吸気手段と双方を取り付けてもよい。
【００３３】
ファン３によって空気清浄機４０内へ導入された空気２は、放水部４４から水槽４１へ放水され、落下中の流動する処理液４５内を通過することにより、処理液４５との接触をする。このとき、空気中の汚染物質は、処理液に溶解し、清浄化された空気８が、ファン３を通過して、空気清浄機４０外へ排出される。
【００３４】
放水部４４から放水された処理液４５は、空気２と接触し汚染物質を処理することにより、徐々に汚染される。水槽４１内には、ｐＨ計測部２５が備えられており、ｐＨ計測部２５により処理液４５のｐＨを測定することで、処理液４５の汚染度を計る。前述の実施例と同様に、ｐＨが設定値より酸性にずれた場合、制御装置１１は電解槽１５からアルカリ性水を、水槽４１内へ導入する。またｐＨが設定値よりアルカリ性にずれた場合、制御装置１１は電解槽１５から酸性水を水槽４１内へ導入する。電解槽１５の機能は、前述の実施例と同様である。
【００３５】
空気清浄機４０のように、処理液は放水部から落下し、水膜を形成して水槽へ流動する形態でもよいし、放水部から噴霧され霧状となり水槽へ流動する形態でもよい。また処理液を空気清浄機内の上部から下部へ落下させるのではなく、横断的（横）に放水する形態にしたり、下部から上部へ向けて流動する形態にしたりしてもよい。
【００３６】
図５に水膜・噴霧式空気清浄機に酸性水貯蔵部３１、アルカリ性水貯蔵部３２、中性水貯蔵部３３を接続した実施例を示す。この空気清浄機５０の内部には、水槽４１と放水部４４とを含み、水槽４１と放水部４４とは、循環パイプ４３で接続されており、循環パイプ４３間には、循環ポンプ４２が設置されている。この循環ポンプ４２によって水槽４１内の処理液４５は、空気清浄機５０の内部の上部の放水部４４まで汲み上げられ、放水部４４より水槽４１内へ放水される。放水部４４から水槽４１へ放水された処理液４５は、再び循環ポンプ４２によって、放水部４４へと循環する。空気清浄機５０内部には、吸気手段として空気排出口９側にファン３が備えられており、ファン３によって、空気導入口２６より空気２が導入される。なおファン３は、送気手段とし、空気導入口２６側へ備え付けてもよい。
【００３７】
ファン３によって導入された空気２は、放水部４４から放水され落下中の流動している処理液４５と気液接触することにより、汚染物質が除去される。そして清浄化された空気２は、空気排出口９より空気清浄機５０外へ排出される。
【００３８】
制御装置１１は、制御装置内にある弁の切り換えによって、水槽４１内の処理液４５を排出したり、酸性水貯蔵部３１やアルカリ性水貯蔵部３２から溶液を水槽へ導入したりする。そして汚染物質の処理が効率よく行われるように処理液４５のｐＨを調整する。
【００３９】
空気清浄機５０を稼働することにより、汚染空気２と接触した処理液４５は、ｐＨが変化していき、これに伴い汚染物質の除去効率が悪くなる。水槽４１内には、前述の実施例同様、ｐＨ計測部２５が設置され、処理液４５のｐＨを計測する。ｐＨ計測部２５は、ｐＨの計測値を制御装置１１へ送り、この信号によって、制御装置１１は、ｐＨを所望の値に保つように、酸性水、アルカリ性水、中性水を導入する。
【００４０】
図６に含浸部材・水膜式の実施例を示す。含浸部材としての水含浸フィルター６１が、空気清浄機６０内に設置され、この水含浸フィルター６１は、循環ポンプ４２と循環パイプ４３により接続されている。含浸部材には、ウレタンのようなスポンジ状のものや、布や綿、シリカゲルなどが挙げられる。通気性のあるものであれば特に限定しない。水含浸フィルター６１内には、含浸フィルター６１内を流動する処理液のｐＨを計測するため、ｐＨ計測部２５を設置する。ｐＨ計測部２５は、電気的に制御装置１１と接続されている。含浸部材６１と循環ポンプ４２と循環パイプ４３によって構成される処理液の循環系側にｐＨ制御手段として電解槽１５を制御装置１１を介して接続する。
【００４１】
処理液循環系の処理液を制御装置１１によって排水口１４より排出したり、電解槽１５の酸性水またはアルカリ性水を循環系側へ導入したりする。汚染空気２を導入するため、吸気手段として、空気排出口９側にファン３を設置する。または空気導入口２６側に、送気手段として、ファン３を設置してもよいし、送気手段と吸気手段の双方を取り付けることができる。
【００４２】
水含浸フィルター６１は、内部で処理液が上部から下部へと流れ落ちるようになっている。流れ落ちた処理液は、循環ポンプ４２によって、水含浸フィルター６１上部まで汲み上げられ、そこから水含浸フィルター６１内へ放水される。処理液は水含浸フィルター６１内を伝わり下部まで落下する。水含浸フィルター６１下部まで落下した処理液は再び循環ポンプ４２で水含浸フィルター６１上部まで汲み上げられる。このようにして処理液は循環する。
【００４３】
空気清浄機６０内には、空気排出口９に設置された、吸気手段であるファン３によって空気２が導入され、空気清浄機６０内に設置された水含浸フィルター６１を通過してファン３によって、空気排出口９から空気清浄機６０外へ排出される。空気清浄機６０内に導入された汚染空気２が、水含浸フィルター６１を通過する際に、水含浸フィルター６１内を落下する処理液と接触し、それによって汚染空気内の塵埃、可溶性ガス等の汚染物質が処理液によって除去される。
【００４４】
空気２が水含浸フィルタ６１を通過し続けると、循環処理水は、徐々に汚染されていく。処理水の循環経路は、制御装置１１と処理液導入管１２と処理液排出管１３によって結ばれており、制御装置１１は、電解槽１５と酸性水導入管１６とアルカリ性水導入管１７の２つの管により結ばれている。また制御装置１１には、不要になった処理液を排水する排水口１４が備えられている。
【００４５】
水含浸フィルタ６１内に設置されたｐＨ計測部２５によって、循環処理水のｐＨを計測する。ｐＨの値が、設定値よりずれた場合、ｐＨ計測部２５からの信号により制御装置１１が、電解槽１５から新たな溶液を処理液循環系に導入する。不要になった処理液は、制御部１１に設置さえた排水口１４より外へ排出される。
【００４６】
図７に含浸部材・水膜式の空気清浄機に、電解槽の代わりに貯蔵槽を設置した実施例を示す。他の構造は前述と同様である。空気清浄機７０の稼働によりｐＨが設定値からずれた場合、前述と同様に、ｐＨ計測部２５からの信号により、制御装置１１が作動し、貯蔵槽３１，３２，３３から、酸性水、アルカリ性水、中性水を導入し、所望のｐＨに処理液を戻す。
【００４７】
このようにｐＨ計測装置を備え、水槽内の処理液のｐＨを調整するための制御装置および電解槽または、酸性・アルカリ性貯蔵部を有した空気清浄機は、処理ガスの除去効率を適した状態に保つことができる。
【図面の簡単な説明】
【図１】ｐＨ計測部と電解槽を備えた散気式の空気清浄機の実施例。
【図２】ｐＨの変化とｐＨ制御手段によるｐＨの修正を表す図。
【図３】ｐＨ計測部と貯蔵部を備えた散気式の空気清浄機の実施例。
【図４】ｐＨ計測部と電解槽を備えた水膜・噴霧式の空気清浄機の実施例。
【図５】ｐＨ計測部と貯蔵部を備えた水膜・噴霧式の空気清浄機の実施例。
【図６】ｐＨ計測部と電解槽を備えた含浸部材・水膜式の空気清浄機の実施例。
【図７】ｐＨ計測部と貯蔵部を備えた含浸部材・水膜式の空気清浄機の実施例。
【符号の説明】
１，３０，４０，５０，６０，７０  空気清浄機
１１  制御装置
１５  電解槽
２５  ｐＨ計測部
３１  酸性水貯蔵部
３２  アルカリ性水貯蔵部
３３  中性水貯蔵部
【図１】
2005013788.tif 000003
【図２】
2005013788.tif 000004
【図３】
2005013788.tif 000005
【図４】
2005013788.tif 000006
【図５】
2005013788.tif 000007
【図６】
2005013788.tif 000008
【図７】
2005013788.tif 000009